(57)【特許請求の範囲】
【請求項１】
通信機器であって、前記通信機器は、
ネットワークと通信可能に構成された本体と、
前記本体に接続されたハンドセットと
を備え、
前記本体は、ハンズフリー操作のためのハンズフリー操作スピーカーを有し、
前記ハンドセットは、使用しない際は前記ハンズフリー操作スピーカー上に設置されるように構成され、
前記ハンドセットは、
マイクを備える下部と、
スピーカーを備える上部と、
前記ハンドセットが前記ハンズフリー操作スピーカー上に設置される際に前記ハンズフリー操作スピーカーと重なり合うカットアウトを有する中間部分であって、前記カットアウトは、前記ハンズフリー操作スピーカーから遠いほど広い開口部を持つ、中間部分とを有し、
前記カットアウトは、開口部面に対して様々な角度の内壁を備えた複数の開口を含む
ことを特徴とする通信機器。
【請求項２】
前記カットアウトは、立体であることを特徴とする請求項１に記載の通信機器。
【請求項３】
前記カットアウトは、長方形、円形、楕円形、および多角形のうちの少なくとも一つの形状を有することを特徴とする請求項２に記載の通信機器。
【請求項４】
前記カットアウトの内壁は、平面状、凸面状、凹面状、およびテーパー状のうちの少なくとも一つの形状を有することを特徴とする請求項２に記載の通信機器。
【請求項５】
前記カットアウトのパラメータは、前記ハンドセットのサイズ、前記ハンズフリー操作スピーカーのサイズ、前記ハンズフリー操作スピーカーの形状、および前記通信機器の音声周波数域幅のうちの少なくとも一つに基づいて決定されることを特徴とする請求項２に記載の通信機器。
【請求項６】
前記カットアウトのパラメータは、前記カットアウトの形状、サイズ、内壁の形状、および前記ハンドセット上での前記カットアウトの配置のうちの少なくとも一つを含むことを特徴とする請求項５に記載の通信機器。
【請求項７】
前記複数の穴のサイズ、形状、配置、および数のうちの少なくとも一つは、前記ハンドセットのサイズ、前記ハンズフリー操作スピーカーのサイズ、前記ハンズフリー操作スピーカーの形状、および前記通信機器の音声帯域幅のうちの少なくとも一つに基づいて決定されることを特徴とする請求項１に記載の通信機器。
【請求項８】
前記本体は、音声電話通信、テレビ電話通信、インスタントメッセージ、およびデータ交換のうちの少なくとも一つを可能にするように構成されることを特徴とする請求項１に記載の通信機器。
【請求項９】
音声電話通信、テレビ電話通信、インスタントメッセージ、およびデータ交換のうちの少なくとも一つを可能にするように構成されたネットワーク通信機器のためのハンドセットであって、前記ハンドセットは、
マイクを備える下部と、
スピーカーを備える上部と、
中間部分と
を備え、
前記中間部分は、前記ハンドセットを前記ネットワーク通信機器の本体のハンズフリー操作スピーカー上に設置する際、前記ハンズフリー操作スピーカーと重なり合うようレイアウトされるカットアウトを有し、前記カットアウトは、前記ハンズフリー操作スピーカーから遠いほど広い開口部を持ち、
前記カットアウトは、開口部面に対して様々な角度の内壁を備えた複数の開口を含む
ことを特徴とするハンドセット。
【請求項１０】
表示部、複数のＤＴＭＦボタン、および複数の機能ボタンのうちの少なくとも一つをさらに備えたことを特徴とする請求項９に記載のハンドセット。
【請求項１１】
少なくとも一つの前記穴は、多角形の形状を有し、
少なくとも一つの前記穴の形状、サイズ、内壁の形状、縁の数、および配置のうちの少なくとも一つは、前記ハンドセットのサイズ、前記ハンズフリー操作スピーカーのサイズ、前記ハンズフリー操作スピーカーの形状、前記ハンズフリー操作スピーカーの配置、および前記ネットワーク通信機器の音声周波数域幅のうちの少なくとも一つに基づいて決定されることを特徴とする請求項９に記載のハンドセット。
【請求項１２】
前記カットアウトは、複数の穴を有し、前記複数の穴の数は、前記ハンドセットのサイズ、前記ハンズフリー操作スピーカーのサイズ、前記ハンズフリー操作スピーカーの形状、前記ハンズフリー操作スピーカーの配置、および前記ネットワーク通信機器の前記音声周波数域幅のうちの少なくとも一つに基づいて決定されることを特徴とする請求項１１に記載のハンドセット。
【請求項１３】
前記カットアウトは、互いに平行にレイアウトされた複数の溝を有し、前記複数の溝の互いのサイズ、間隔、および隣接する溝に対する互いの溝の角度のうちの少なくとも一つは、前記ハンドセットのサイズ、前記ハンズフリー操作スピーカーのサイズ、前記ハンズフリー操作スピーカーの形状、前記ハンズフリー操作スピーカーの配置、および前記ネットワーク通信機器の音声周波数域幅のうちの少なくとも一つに基づいて決定されることを特徴とする請求項９に記載のハンドセット。
【発明の詳細な説明】
【技術分野】
【０００１】
本発明は、ハンズフリースピーカーの音響透過開口部を備えるハンドセットに関する。
【背景技術】
【０００２】
通信技術の急速な発展にもかかわらず、電話装置の基本的な形状およびデザインは、この数十年間ほとんど変化していない。ディスプレイ、特別なファンクションボタン、および同程度の追加など、追加機能が本体に組み込まれる間、ハンドセットは主として一端に沿って本体上に設置するその最初の外形を保っている。
【０００３】
ハンズフリー操作は、スピーカーフォンの機能を通じて、しばらくの間、家庭およびオフィスの中心となっている。コンパクトな設置面積におけるハンズフリースピーカーフォンの機能性をサポートするため、スピーカーフォンのスピーカーは、ハンドセット胴体の中間部分を狭くする、かつハンドセット胴体の中間部分が電話機本体のスピーカーからかなり遠くを曲がるように、通常、ハンドセットの胴体の下に設置される。これは、工業デザイン選択の上で熟慮すべき限定として存在している。長方形の、角張ったデザイン体系を持つハンドセットは、より広範囲にわたる、ハンズフリースピーカーの配置および本体に、ハンドセットの前記側面を余儀なくさせる。従来のハンドセットデザイン上の他のバリエーションは、しばしばそのほかの電話機の工業デザイン体系と視覚に関する衝突をもたらす。
【発明の概要】
【０００４】
本概要は、下記の詳細な説明においてさらに説明するある概念を簡単な形で紹介するために提供する。本概要は、もっぱら特許請求の範囲に記載する主題の重要な特徴または重要な特徴を識別する意図はなく、また特許請求の範囲に記載する主題の範囲の画定の手助けを意図するものでもない。
【０００５】
実施形態は、ハンドセットの真下にレイアウトするスピーカーから送信する音声のために、電話機ハンドセットにおける音響透過開口部(音響を透過する開口部／acoustic pass through)を提供することを指し示している。ハンドセットの中間部分におけるカットアウト(cutout)は、様々な形状、例えば長方形の、円形の、楕円形の、および同じような形状で、スピーカーフォンの機能を使用する際の高音質、およびハンドセットデザインにおける柔軟性を与える。ある実施形態によれば、様々な形状の内の複数のカットアウトは、単一のより大きいカットアウトの代わりに提供され得る。
【０００６】
このような特徴および利点ならびに他の特徴および利点は、下記の詳細な説明の読解および関連図面の見直しより明らかになる。上記の概説的な説明および下記の詳細な説明の両方は、例示的であり、特許請求の範囲としての側面を限定するものでないことを理解されたい。
【図面の簡単な説明】
【０００７】
【図１】一実施形態に準ずる音響透過開口部を含むハンドセット、および本体を備える電話機を示す図である。
【図２】スピーカーフォンのスピーカー上に設置するハンドセットを備える図１の電話機の平面図を示す図である。
【図３】一実施形態に準ずる音響透過開口部を含む異なるハンドセットの配置を備える別の電話機の平面図を示す図である。
【図４】音響透過開口部を持たない、本体上の従来のハンドセットの側面図を示す図である。
【図５】音響透過開口部の存在により可能となるデザインの柔軟性を説明する一実施形態に準ずる音響透過開口部を備えるハンドセットの側面図を示す図である。
【図６】ある実施形態に準ずる２つのハンドセットデザイン例を示す図である。
【図７】他の実施形態に準ずる更に２つのハンドセットデザイン例を示す図である。
【図８】更なる実施形態に準ずる様々なカットアウト例の側面図を示す図である。
【図９】内壁の角度および形状が変化する２つのカットアウト例の側面図を示す図である。
【発明を実施するための形態】
【０００８】
上記で簡単に述べたように、ハンドセットの中間部分における単一または複数のカットアウトの形態の音響透過開口部は、電話機本体のハンズフリー操作の高度な音響性能を提供するため、ならびにハンドセットのデザインおよび本体のデザインにおける柔軟性を可能にするために使用され得る。このような側面は組み合わされる場合があり、片方の側面を用いる場合もあり、そして構造上の変更は本開示の意図および本開示の範囲から逸脱せずに行われ得る。以下の詳細な説明はそれゆえに限定の意味で解釈してはならず、ならびに実施形態群の範囲は、添付する特許請求の範囲およびこれらの均等物により定義する。
【０００９】
さらに実施形態は、ハンドセットおよび本体を含む電話装置を一般的な状況において説明し、本開示は従来の電話装置に限定するものではなく、本体、および本体のスピーカー上に置かれるハンドセットを含み得る任意の通信機器は含む。実施され得る実施形態における、近代の通信技術を用いる装置の例を以下に提供する。
【００１０】
ハンドセットにおける単一または複数のカットアウトの形態の音響透過開口部は、手作業、またはコンピュータ制御のデザインプログラムの補助を使ってデザインされ得る。上記プログラムは、ハードウェアおよび／または、プログラムモジュールなどのソフトウェアプログラムを必要とし得る。一般に、プログラムモジュールはルーチン、プログラム、コンポーネント、データ構造、および特定のタスクを実行する、または特定の概念のデータ型を実装する他のタイプの構造を含む。さらに、上記デザイン補助は、ハンドヘルドデバイス、マルチプロセッサシステム、マイクロプロセッサベースまたはプログラム可能家庭用電化製品、マイクロコンピュータ、メインフレームコンピュータ、および同程度のコンピューティングデバイスを含む他のコンピュータシステムの機器構成を使って実行され得る。
【００１１】
図１は、一実施形態に準ずる音響透過開口部を含むハンドセット、および本体を備える電話機を示す。上記で説明したように、実施形態はいろいろな高度な通信技術を促進する通信機器において実装され得る。上記通信技術の例は、音声電話通信、テレビ電話通信、インスタントメッセージ、データ交換、および類似の技術を含むが、これらに限定するものではない。したがって、このような技術を促進する通信機器は、促進する通信技術に依存するディスプレイ、特有のボタン、および同類のものなど特定の要素を含み得る。
【００１２】
図に示されるような基本的な電話機は、本体１１２およびハンドセット１０２を含む。ハンドセット１０２は、有線手段または無線手段により本体１１２に結合され得る。ケーブル１０８は、有線接続の例である。多くの電話機は、ハンズフリー動作の一部としてスピーカー１１４を含む。電話機デザインの大部分において、スピーカー１１４は、ハンドセットが本体１１２に載せられる際にハンドセット１０２の真下にくるように電話機の片側に沿って設置される。これは、２つの主要な課題、すなわち、第一に、ハンズフリー操作における音質は、スピーカー１１４の上のハンドセット１０２の存在により劣化すること、第二に、ハンドセット１０２のデザインは、スピーカー１１４からの音響伝達に合わせて限定すること、を提起する。
【００１３】
ハンドセット１０２は、その下部におけるマイク１０６、およびその上部における通常のハンドセットスピーカー１０４を含む。通常のハンドセットスピーカー１０４は、耳に近い伝達のためにあり、およびその音響レベルはスピーカー１１４のものより著しく劣る。図に示すハンドセット１０２は、スピーカーフォンにとって望ましい標準的なハンドセットの形状を有している。ハンドセットの中間部分は、下部および上部より狭く、ならびに本体１１２の上に設置する際に、その中間部分を高く上げ、ハンズフリー操作スピーカー１１４からの高度な音響伝達を可能にする。
【００１４】
標準的な形状を有すにもかかわらず、ハンドセット１０２は、ハンズフリー操作スピーカー１１４のために音響透過開口部１１０の機能を果たすその中間部分におけるカットアウトを含む。音響透過開口部１１０は、長方形の、円形の、楕円形の、などのいろいろな形状（いくつかの例は下記に示す）を有し得る。音響透過開口部１１０の主目的は、ハンドセットが本体のスピーカーの上に設置される際にハンズフリー操作スピーカー１１４からの音波の高度な伝達を可能にすることである。また、これは、ハンドセット１０２の中間部分は、もはや上部および下部より狭く、または上部および下部と比較して高く上げる方法でデザインする必要はないので、ハンドセットデザインにおけるさらに高い柔軟性をもたらす。
【００１５】
図２は、スピーカーフォンのスピーカー上に設置するハンドセットを備える図１の電話機の平面図を示す。多くの家庭用電話機またはオフィス用電話機に見るように、本体１１２におけるハンズフリー操作スピーカー１１４は、ハンドセットの中間部分の近く、ハンドセット１０２の真下に設置される。しかし、従来の電話機とは違って、ハンドセット１０２は、スピーカー１１４がハンドセットの中間部分により制約することなく音波を送信できるようにする音響透過開口部１１０を含む。
【００１６】
また、電話機の本体１１２は、ＤｕａｌＴｏｎｅＭｕｌｔｉＦｒｅｑｕｅｎｃｙ（ＤＴＭＦ）ダイヤルボタン１２０、特有の機能ボタン１１８、および表示部１１６など、追加要素を含む。上記で述べたように、実施形態を実施するための通信機器は、音声電話通信、インスタントメッセージ、テレビ電話通信などに加えて他の通信方式を促進し得る。表示部１１６などの追加要素は、音声電話通信を補完するもの（例えば、発信者番号、日時、および類似の情報を表示する）と同様に、他の通信方式に対応し得る。
【００１７】
特定の構成要素および通信機器の種類は上記で説明したが、これらは、説明目的のみのものであり、実施形態の限定を構成しない。他のハードウェア環境、構成要素、および機器の種類のほとんどは、本願明細書に記述する考え方を使用する実施形態にしたがってハンドセットにおける音響透過開口部の実施において使用され得る。
【００１８】
図３は、一実施形態に準ずる音響透過開口部を含む異なるハンドセットの配置を備える別の電話機の平面図を示す。一般の電話装置は、（図１または２に示されるように）本体の右側、または左側に沿ってハンドセットの配置を有するが、ハンドセット１０２の位置、または本体１１２の他の要素は、このような２つの場所に限定しない。
【００１９】
図３に示されるように、本体１１２は、本体の上部に設置されるハンズフリー操作スピーカー１１４の下部に、表示部１１６、特有のボタン、１１８、およびＤＴＭＦダイヤルボタン１２０を含み得る。したがって、ハンドセット１０２は、その、音響透過開口部１１０がスピーカー１１４の真上にくるように、本体１１２の上側に沿って水平に設置され得る。もちろん、ハンドセット、ハンズフリー操作スピーカー、および本体上の他の要素の別の配置のほとんどは、本願明細書で述べる考え方を使用することが可能である。
【００２０】
図４は、音響透過開口部を持たない、本体上の従来のハンドセットの側断面図を示す。単純化のため、ダイヤルボタンおよび本体４１２の底面部品などの要素は、図４に示さない。ハンズフリー操作スピーカーの表面は、参照番号４１４により示す。
【００２１】
前述のように、電話機をハンズフリーモードにする際、音波の伝達が聞き取れるようにするために、スペース４２６の最小量が、ハンズフリー操作スピーカーの表面４１４上に必要である。したがって、ハンドセット４０２は、中間部分４２４を、マイク、およびハンドセットのスピーカーをそれぞれ備えるハンドセットの下部および上部と比較して高く上げることができるように、湾曲にデザインする必要がある。
【００２２】
図に示さないものは、ハンズフリー操作スピーカーの効率を上げるための従来のハンドセットの別の側面である。また、一般に、ハンドセット４０２の中間部分４２４は、図に示す断面と垂直な面において、上部および下部より狭くデザインされる。このような限定は、ハンドセット上および本体上に追加の限定をもたらす。例えば、高度な通信技術、または音声電話通信自身とさえ関連付けるボタン、または小さな表示部などの要素は、形状の限定のためにハンドセットの背面の上に容易にデザインされ得ない。
【００２３】
その上、近代の電話装置により用いる音声帯域幅は、従来の電話機より広域であり得る（例えば、０〜８ｋＨｚを使用する広帯域音声電話、または０〜４ｋＨｚを使用する狭帯域音声電話）。上述した方策にもかかわらず、スピーカーの伝達経路において物理的な妨害物となる理由で、ハンドセット本体は、ハンズフリー操作スピーカーからの音質を劣化し得る。劣化は、使用する音声周波数域、ハンドセットの形状、およびスピーカーからのハンドセットの距離により変化する。
【００２４】
図５は、音響透過開口部の存在により可能となるデザインの柔軟性を説明する一実施形態に準ずる音響透過開口部を備えるハンドセットの側断面図を示す。図４の従来のハンドセット、および図５のハンドセット、の間の２つの明らかな違いは、ハンドセットの厚さ、ならびに図５の電話機においてハンドセットの表面および本体の表面の間に空隙がないことである。
【００２５】
図５におけるハンドセット５０２の音響透過開口部１１０は、スピーカーの障害物のようなハンドセットの役割を効果的に除外しつつ、音波が、ハンズフリー操作スピーカー１１４から効率的に伝達できるようにする。このことがひいては、ハンドセット５０２の中間部分を上部および下部より狭く、またはハンドセット５０２の中間部分、および本体５１２の表面、の間の空隙のための湾曲を持つようデザインする必要性を排除することになる。したがって、ハンドセットの表面および本体は、参照番号５２８により示されるようにハンドセットが載せられる際、互いに接触し得る。
【００２６】
ハンドセット５０２の音響透過開口部１１０は、ハンドセットの位置にかかわらず効率を上げつつ、任意の音声帯域幅の使用を可能にする。さらに、ハンドセットの形状についての限定の排除は、ある実施形態にしたがってより平たく広くデザインでき、より軽く薄いハンドセットデザインのみならず、ハンドセットのレイアウトは、ダイヤルボタン、特有の機能ボタン、またはハンドセットの背面に設置され得る小さな表示部などの追加要素をともなうような方法でデザインされ得ることも可能にする。
【００２７】
音響透過開口部１１０の形状、音響透過開口部１１０の位置、音響透過開口部１１０の種類、およびハンドセット５０２の筺体を製造するために使用する素材は、さらにハンズフリー操作スピーカーの音質に効果があり得る。したがって、音響透過開口部１１０の形状、音響透過開口部１１０の位置、音響透過開口部１１０の種類のほかにハンドセットにおけるカットアウトの壁面形状も、特定のハンドセットタイプ（例えば、ハンドセットの外形サイズ、およびハンドセットの形状、ハンドセットにおける追加要素の存在、ならびに他のデザイン結果）に合わせて最適な音質を提供するようにデザインされ得る。図６および図７は、実施形態を実施され得るカットアウトの形状の例を示す。
【００２８】
図６は、ある実施形態に準ずる２つのハンドセットデザイン例を示す。ハンドセット６３２−１は、ハンズフリー操作スピーカーのための音響透過開口部として、円状に成形された複数のカットアウト６３４を含む。カットアウト６３４の数、カットアウト６３４の形状、およびカットアウト６３４の種類は、ハンドセットのサイズ、スピーカーのサイズ、スピーカーの音声帯域幅のほかに他のデザイン結果にも応じて調整され得る。個々のカットアウトの各々の形状は、円形以外にもなり得る。さらに、カットアウトは、均一に成形される必要はない。カットアウトの形状およびカットアウトのサイズもまた、音響透過開口部が完成してさえいれば、同じハンドセットによっても異なるものになり得る。
【００２９】
図６のハンドセット６３２−２は、一体成形の音響透過開口部のカットアウト６３６を示す。本カットアウトは、丸い角を持つ長方形に成形される。さらに、長方形のサイズおよび長方形の形状（長辺の短辺に対する比）、および角の丸み付けの半径は、最適な音響透過開口部のデザイン結果、およびハンドセットのデザイン結果に合わせ調整され得る。例えば、本カットアウトは、円形の、楕円形の、正方形の、または多角形の形状を有し得、その形状は、ハンドセットデザイン、およびハンズフリー操作スピーカーのサイズ／形状に応じて、より小さくまたはより大きくなる。
【００３０】
図７は、別の実施形態に準ずる更に２つのハンドセットデザイン例を示す。前述のように、複数のカットアウトは、音響透過開口部のために、単一の、より大きいカットアウトの代わりに使用され得る。ハンドセット７３２−１の例は、ハンドセットの短軸と平行する長軸を持つ４つの長方形に成形されたカットアウト７３８を含む。今度の場合もまた、カットアウトの各々のサイズ、およびカットアウトの各々の形状は、デザイン結果に応じて、異なって定義され得る。ハンドセット７３２−２は、ハンドセットの長軸に平行してレイアウトする長方形のカットアウト７４０を含む。
【００３１】
カットアウトのサイズ、カットアウトの形状、カットアウトの種類は上記で述べたが、音響透過開口部のカットアウトは、立体構造である。したがって、これらの立体の形状、これらの立体の深さも、音響透過開口部の特性に影響し得る。単純な方法として、カットアウト面に垂直な平面状の壁がある。他方では、他の形状および他の角度も、図８および図９に示されるような一定のカットアウトの形状のため、音響透過開口部を改良し利用され得る。
【００３２】
図８は、更なる実施形態に準ずる様々なカットアウト例の側面図を示す。前述のように、音響透過開口部のカットアウトデザインの基本方法として、カットアウト８１０−１の例に示されるような、カットアウトの開口部面８５２に垂直な、平面状内壁(straight inner wall)８５４がある。これは、長方形の立体断面をもたらす。
【００３３】
カットアウトの壁のそのほかの例は、カットアウト８１０−２に示されるような、ハンズフリー操作スピーカーから見て反対側のハンドセット面上に、より大きな開口部８５６を可能にする、曲面状内壁(curved inner wall)８５８を含む。さらなる形状の例は、カットアウト８１０−３に示されるような、カットアウトの下部の開口部面８６１および上部の開口部面（８６２）の間の全面曲面状内壁(fully curved inner wall)８６４である。前記カットアウトの前記内壁は、カットアウトの全ての縁に沿って、対照的な種類、または同じ種類に限定されるものではない。カットアウトの内壁のそれぞれは、異なる形状、または開口部面に対する異なる角度を有し得る。
【００３４】
図９は、内壁の角度および形状が変化する２つのカットアウト例の側面図を示す。カットアウト例９７０−１に示されるように、カットアウトは、開口部面９７１、開口部面９７２に対して様々な角度の内壁９７４を備えるようデザインされ得る。これは、送信音波上のチャネリング効果を抑止することを助け得る。カットアウト９７０−２に表示されるように、開口部面９７６、開口部面９７７に対して変化する角度を持つ曲面状内壁(curved inner wall)９７８を使用することで、同様の効果はもたらされ得る。
【００３５】
注意すべきは、内壁の形状および内壁の角度も、開口部面の形状およびカットアウトのサイズも、本願明細書に示す例のものに限定されないことである。実施形態に準ずる音響透過開口部のカットアウトは、任意の形状、任意の角度、および上記で述べる考え方を使用する任意の種類において実施され得る。
【００３６】
実施形態例は、様々な方法を介してデザインされたり、製作されたりし得る。これらの方法は、本願明細書に述べる仕組みを含むあらゆる手段で実行されることができる。その一手段は、様々な種類のソフトウェアプログラムおよび様々な種類のハードウェアを組み合わす機械操作によって成される。
【００３７】
他の任意的な手段は、何らかを実行する一名以上の人間のオペレータと連動して実行される方法の一以上の個々の操作のためにある。これら人間のオペレータは、互いに一緒に用いられることを要しないが、各々は、プログラムの一部を実行する機械とのみ一緒に用いられることを要する。
【００３８】
上記明細書例および上記明細書データは、実施形態の構成製品、およびの実施形態の構成の利用法、の説明一式を提供する。本主題は、構造上の特徴および／または方法の動作に固有の言葉で記載するが、当然のことながら、添付の特許請求の範囲において定義される本主題は、上記固有の特徴および動作に必ずしも限定されるものでない。むしろ、上記固有の特徴および動作は、特許請求の範囲の実施形式例および実施形態の実施形式例として開示する。
【図２】
0005615835.tif 000002
【図３】
0005615835.tif 000003
【図４】
0005615835.tif 000004
【図５】
0005615835.tif 000005
【図６】
0005615835.tif 000006
【図７】
0005615835.tif 000007
【図８】
0005615835.tif 000008
【図９】
0005615835.tif 000009
【図１】
0005615835.tif 000010